(57)【特許請求の範囲】
【請求項１】
壁面にボルトを介して取り付けられる壁面取付用梯子であって、
その軸方向に対して直交する方向の断面が、立脚部と固定部とからなるＬ字形状を有し、互いに平行に配置された１対の側柱と、
前記立脚部の各々の端面に対して、前記軸方向に対して直交する方向に掛け渡され、且つ取外し自在に取付けられたステップ部材と、
前記固定部の各々に形成された、前記ボルトを取付けるためのボルト取付手段とを備え、
前記側柱の各々の少なくとも端部の近傍に、前記断面が逆Ｔ字状となるように連結板が取り付けられ、
前記連結板には、前記立脚部までの距離が、前記立脚部から前記ボルト取付手段までの距離と同一となる位置に、補助梯子を取付けるための補助梯子取付手段が形成される、壁面取付用梯子。
【請求項２】
前記ボルト取付手段は、
貫通孔を含み、
前記補助梯子取付手段は、
雌ネジが形成された孔を含む、請求項１記載の壁面取付用梯子。
【発明の詳細な説明】
【０００１】
【発明の属する技術分野】
この発明は壁面取付用梯子に関し、特にコンクリート等の壁面にアンカーボルト等を介して固定される壁面取付用梯子に関するものである。
【０００２】
【従来の技術】
図６は、従来の補助梯子が連結された壁面取付用梯子の全体斜視図であり、図７は、図６で示したＶＩＩ−ＶＩＩラインの拡大断面図である。
【０００３】
これらの図を参照して、壁面取付用梯子４１は、平行して配置された１対の側柱５３ａ，５３ｂと、側柱５３ａ,５３ｂの軸方向に直交して等間隔に複数本掛け渡されたステップ部材５２ａ〜５２ｄとから構成されている。この側柱５３ａ，５３ｂは、中が空洞になった四角柱形状を有しており、壁面と当接する面に軸方向に一列に長孔５４ａ〜５４ｆ（一部図示せず）が設けられている。又、この面と対面する面に貫通孔５０ａ〜５０ｆが長孔５４ａ〜５４ｆと対向する位置に設けられている。更にステップ部材５２ａ〜５２ｄは、１対の側柱５３ａ，５３ｂが対峙する面に溶接によって取付けられている。
【０００４】
又、壁面取付用梯子４１を補助するために、その下方部には補助梯子３が連結されている。この補助梯子３は、壁面取付用梯子１の側柱５３ａ，５３ｂとほぼ同じ幅で平行して配置された１対の側柱２１ａ，２１ｂと、その側柱２１ａ，２１ｂに直交して等間隔に複数本掛け渡されたステップ部材２２ａ〜２２ｄとから構成されている。この側柱２１ａ，２１ｂは四角柱形状を有しており、その上方端部には中央付近に長孔２５ａ，２５ｂ（図示せず）が設けられた板状の連結板２３ａ，２３ｂ（図示せず）を備えている。
【０００５】
ここで壁面取付用梯子１の取付けと補助梯子３の連結について説明する。梯子を取付ける壁面５５は、通常コンクリートで形成され平滑で垂直に切り立っている。まず、この壁面５５の所定位置にアンカーボルト１０ａ〜１０ｆ（一部図示せず）が埋め込まれている。このアンカーボルト１０ａ〜１０ｆ（一部図示せず）は、壁面５５から突出する部分に雄ネジが形成されている。次にアンカーボルト１０ａ〜１０ｆ（一部図示せず）の突出部を側柱５３ａ，５３ｂの長孔５４ａ〜５４ｆ（一部図示せず）に通し、壁面取付用梯子１を引っ掛ける。次にアンカーボルト１０ａ〜１０ｄ（一部図示せず）にワッシャー１１ａ〜１１ｄ（一部図示せず）を通した後ナット１２ａ〜１２ｄ（一部図示せず）を螺合し、貫通孔５０ａ〜５０ｆからレンチ等を臨み入れ、強固に締め付ける。
【０００６】
ここで、それぞれの側柱５３ａ，５３ｂの最下方に位置する長孔５４ｅ，５４ｆ（図示せず）については、補助梯子３を連結するため特別な取付けを行う。この部分については、アンカーボルト１０ｅ，１０ｆ（図示せず）を側柱５３ａ，５３ｂの長孔５４ｅ，５４ｆ（図示せず）に通した後、更に補助梯子に設けた連結板２３ａ，２３ｂ（図示せず）の長孔２５ａ，２５ｂ（図示せず）に通す。その後にワッシャー１１ｅ，１１ｆ（図示せず）を通した後ナット１２ｅ，１２ｆ（図示せず）を螺合しレンチ等で強固に締め付ける。
【０００７】
【発明が解決しようとする課題】
上記のように、アンカーボルトは通常壁面取付用梯子の幅に合わせて壁面に埋め込まれている。
【０００８】
ところが、壁面取付用梯子は野外に設置されることがほとんどであり、特に海岸などに設置された場合は老朽化が早くなり壁面用梯子を取り替えることも多くなる。このときアンカーボルトも外部に突出した部分が老朽化を起こし易い。このように老朽化した壁面取付用梯子を取り替える場合、以前に打ち込んだアンカーボルトが使用できず、又、その位置で新しいアンカーボルトを打ち込むことも困難である。その場合壁面取付用梯子の取付け位置を少しずらして取付けることになるが、壁面取付用梯子の位置が以前に設置されていた場所からずれてしまう。そこで、側柱間の幅を変えて設置することも考えられるが、その場合各ステップ部材の長さをその幅に合わせ切断したり、新たな部材を取付け延長したりする必要がある。その場合、補助梯子もその幅に合わせたものを用意しなければならない。
【０００９】
この発明は、上記のような課題を解決するためになされたもので、壁面取付用梯子を取り替えるとき、ステップ部材の位置を変えることなく且つ容易に取付けのできる壁面取付用梯子を提供することを目的とする。
【００１０】
【課題を解決するための手段】
上記の目的を達成するために、請求項１に記載の発明は、壁面にボルトを介して取り付けられる壁面取付用梯子であって、その軸方向に対して直交する方向の断面が、立脚部と固定部とからなるＬ字形状を有し、互いに平行に配置された１対の側柱と、立脚部の各々の端面に対して、軸方向に対して直交する方向に掛け渡され、且つ取外し自在に取付けられたステップ部材と、固定部の各々に形成された、ボルトを取付けるためのボルト取付手段とを備え、側柱の各々の少なくとも端部の近傍に、断面が逆Ｔ字状となるように連結板が取り付けられ、連結板には、立脚部までの距離が、立脚部からボルト取付手段までの距離と同一となる位置に、補助梯子を取付けるための補助梯子取付手段が形成されるものである。
【００１１】
このように構成すると、各側柱と各ステップ部材とを自在に分解し組み立てることができ、又、そのときに平行して配置された側柱の左右の配置を入れ替えることができる。このように側柱を入れ替えることによって、１対になる側柱のボルト取付手段間の幅を変えることができる。又、側柱の左右の配置を入れ替えると１対になる側柱のボルト取付手段の位置と補助梯子取付手段の位置が相互に入れ替わる。すなわち側柱を入れ替える前にボルト取付手段が位置していた所に補助梯子取付手段が位置し、側柱を入れ替える前に補助梯子取付手段が位置していた所にボルト取付手段が位置する。
【００１４】
請求項２に記載の発明は、請求項１に記載の発明の構成において、ボルト取付手段は、貫通孔であり、補助梯子取付手段は、雌ネジが形成された孔である。
【００１５】
このように構成すると、貫通孔にボルトを通すことができ且つ雌ネジが形成された孔にネジを螺合することができる。
【００１８】
【発明の効果】
以上説明したように、請求項１に記載の発明は、側柱の左右の配置を入れ替えることによってステップ部材の幅を変えることなく、１対になる側柱のボルト取付手段の位置を変えることができる。そのためステップ部材の位置を変えることなしに、壁面の状況に応じてボルト取付手段の位置を選択することができるため、使い勝手が良い。又、側柱の左右の配置を入れ替えた場合であっても、必ず補助梯子の取付位置にボルト取付手段又は補助梯子取付手段が位置する。よって補助梯子の側柱の幅を変えることなしに連結させることができる。
【００２０】
請求項２に記載の発明は、請求項１の発明の効果に加えて、ボルト取付手段は貫通孔であるのでボルトを通すことができ、且つボルトとナットで締め付ければ強固に固定することができる。又、補助梯子取付手段は、雌ネジが形成された孔であるので補助梯子をネジ止めすることができる。この場合、連結板には壁面と当接する面に突出するものがないので、壁面取付用梯子を壁面に取付けた際に影響することがない。
【００２２】
【発明の実施の形態】
図１は、この発明の第１の実施の形態による壁面取付用梯子の取付状態を示す全体斜視図であり、図２は、図１の壁面取付用梯子を取外し、そのステップ部材の一部を分解したところの斜視図であり、図３は図１に対応した図であって側柱の左右を入れ替えた斜視図である。
【００２３】
これらの図を参照して、壁面取付用梯子１は、平行して配置された１対の側柱６ａ，６ｂと、側柱６ａ，６ｂの軸方向に直交して等間隔に複数本掛け渡されたステップ部材１４ａ〜１４ｄとから構成されている。この側柱６ａ，６ｂは、軸方向に対して垂直な面の断面がＬ字形になるように２枚の板が結合されている。
【００２４】
このＬ字形をした側柱６ａ，６ｂの一方の板は固定部となる固定板７ａ，７ｂであり壁面に当接されて固定される。他方の板は立脚部となる立脚板８ａ，８ｂであり、その端面にステップ部材１４ａ〜１４ｄが取付けられる。この固定板７ａ，７ｂには、側柱６ａ，６ｂの軸方向に一列に形成された貫通孔である長孔９ａ〜９ｆ（一部図示せず）が設けられている。又、立脚板８ａ，８ｂには、固定板７ａ，７ｂと結合された面と逆側の端面に切欠き１３ａ〜１３ｈが設けられ、その切欠き１３ａ〜１３ｈには固定板７ａ，７ｂとの接合面に向かってネジ孔（図示せず）が形成されている。
【００２５】
このようにボルト取付位置となる長孔９ａ〜９ｆ（一部図示せず）とステップ部材が取付けられる切欠き１３ａ〜１３ｈとを形成すると、図２に示すように、ボルト取付手段となる長孔９ａ〜９ｆ（一部図示せず）の位置を壁面５５に投影したときの位置Ｂとステップ部材の取付け位置を壁面５５に投影したときの位置Ａとは、側柱６ａ，６ｂの軸方向（Ｘ方向）に直交する方向（Ｙ方向）に対して所定距離Ｌだけ離れている。
【００２６】
図１に示した壁面取付用梯子１とするためには、この側柱６ａ，６ｂを固定板７ａ，７ｂが外側になるように２本平行して向かい合わせにする。その側柱６ａ，６ｂ間を掛け渡すようにステップ部材１４ａ〜１４ｄを切欠き１３ａ〜１３ｈに嵌め込みネジ１５ａ〜１５ｈによって固定する。
【００２７】
この状態の壁面取付用梯子１を従来の壁面取付用梯子４１（図６参照）と同様にしてコンクリート壁面に取り付ける。つまり壁面の所定位置に埋め込まれたアンカーボルト１０ａを長孔９ａに通す。その後ワッシャー１１ａを通しナット１２ａを螺合して強固に締め付ける。その他の長孔９ｂ〜９ｆに付いても同様にして取付ける。
【００２８】
このように固定板７ａ，７ｂが１対の側柱６ａ，６ｂ間の外側を向く状態で壁面に取付けられた壁面取付用梯子１を例えば同一構造の新しい壁面取付用梯子１に取り替える場合について説明する。新しく取り替えられる壁面取付用梯子１のステップ部材１４ａ〜１４ｄを立脚板８ａ，８ｂから取外し側柱６ａ，６ｂの左右を入れ替える。これにより固定板７ａ，７ｂは側柱６ａ，６ｂ間の内側を向いた状態になる。その後ステップ部材１４ａ〜１４ｄを立脚部８ａ，８ｂに取付ける。このときステップ部材１４ａ〜１４ｄの長さを変える必要はない。尚、ステップ部材１４ａ〜１４ｄを立脚部８ａ，８ｂから取り外した後、側柱６ａ，６ｂの左右を入れ替えずに上下を入れ替えても良い。このように側柱６ａ，６ｂの上下を入れ替えても固定板７ａ，７ｂは、側柱６ａ，６ｂ間の内側を向いた状態になる。
【００２９】
ここで以前から取付けられていた壁面取付用梯子１を壁面から取り外す。このとき壁面には以前から使用していたアンカーボルト１０ａ〜１０ｆ（一部図示せず）が上下方向に２列平行して残っている。このアンカーボルト１０ａ〜１０ｆ（一部図示せず）の配列の間に、固定板７ａ，７ｂを側柱６ａ，６ｂ間の内側に向けた状態にした新たな壁面取付用梯子１を仮配置する。このように壁面取付用梯子１を配置したとき、固定板７ａ，７ｂに設けられた長孔９ａ〜９ｆ（一部図示せず）は、以前使用されていたアンカーボルト１０ａ〜１０ｆ（一部図示せず）の位置と異なる位置になる。その位置に新たなアンカーボルト１８ａ〜１８ｆ（一部図示せず）を打ち込めばよい。
【００３０】
その後固定板７ａ，７ｂの長孔９ａ〜９ｆ（一部図示せず）に新たなアンカーボルト１８ａ〜１８ｆを通す。その後ワッシャー１１ａ〜１１ｆ（一部図示せず）を通しナット１２ａ〜１２ｆ（一部図示せず）を螺合して強固に締め付ける。尚、壁面取付用梯子１より先にアンカーボルト１８ａ〜１８ｆ（一部図示せず）が老朽化した場合は、新たな壁面取付用梯子１の代わりに取り外した壁面固定用梯子１の側柱６ａ，６ｂを左右入れ替えて使用しても良い。
【００３１】
このように、以前から使用していたアンカーボルト１０ａ〜１０ｆ（一部図示せず）の間に同一構造の壁面取付用梯子１を配置することができ、又、新たなアンカーボルト１８ａ〜１８ｆ（一部図示せず）も新規の場所に打ち込むことができる。このときの新たに取付けられた壁面取付用梯子１のステップ部材１４ａ〜１４ｄの位置は取り替える前の位置から移動していないため、使用勝手が低下するおそれはない。尚，実際の使用に際して以前使用されていたアンカーボルト１０ａ〜１０ｆ（一部図示せず）は、安全のためその突出した部分を切断することが好ましい。又、固定板７ａ，７ｂを側柱６ａ，６ｂ間の外側に向けた状態の壁面取付用梯子１から固定板７ａ，７ｂを側柱６ａ，６ｂ間の内側に向けた状態の壁面取付用梯子１に取り替えたが、はじめに固定板７ａ，７ｂを側柱６ａ，６ｂ間の内側に向けた状態の壁面取付用梯子１を使用してから固定板７ａ，７ｂを側柱６ａ，６ｂ間の外側に向けた状態の壁面取付用梯子１に取り替えても良い。
【００３２】
図４は、この発明の第２の実施の形態による壁面取付用梯子に補助梯子を連結した取付状態を示す斜視図であり、図５は、図４に対応した図であって側柱の左右を入れ替えた斜視図である。
【００３３】
この発明の第２の実施の形態による壁面取付用梯子は、第１の実施の形態と基本的な部分では同様の構成であるので相違する部分について主に説明する。
【００３４】
これらの図を参照して、側柱６ａ，６ｂの下端側近傍には、立脚部８ａ，８ｂを挟んで固定板７ａ，７ｂと逆側に連結板１６ａ，１６ｂが設けられている。この連結板１６ａ，１６ｂが接合されている部分は、側柱６ａ，６ｂの軸方向に対して垂直になる面の断面がＴ字形になっている。この連結板１６ａ，１６ｂには、固定板７ａ，７ｂに設けられた長孔９ａ〜９ｆ（一部図示せず）と立脚板８ａ，８ｂを挟んで対称となる位置にネジ孔１７ａ（図示せず），１７ｂが設けられている。すなわち立脚板８ａ，８ｂから長孔９ａ〜９ｆ（一部図示せず）までの距離と立脚板８ａ，８ｂからネジ孔１７ａ（図示せず），１７ｂまでの距離とが同一となる。
【００３５】
図４を参照して、固定板７ａ，７ｂが側柱６ａ，６ｂ間の外側を向いた状態の壁面取付用梯子１を壁面に取り付け更に補助梯子３を連結させるときの方法について説明する。
【００３６】
壁面取付用梯子１を壁面に取付ける取付け方は、第１の実施の形態とほぼ同様ある。つまり長孔９ａにアンカーボルト１０ａを通す。その後ワッシャー１１ａを通しナット１２ａを螺合して強固に固定する。長孔９ｂ〜９ｄに付いても同様にすれば良い。異なるところは、取付けの際に各側柱６ａ，６ｂの一番下方に位置するアンカーボルト１０ｅ，１０ｆ（図示せず）にワッシャー１１ｅ，１１ｆ（図示せず）を通す前に、補助梯子３に設けた連結部２３ａ，２３ｂ（図示せず）の長孔２５ａ，２５ｂ（図示せず）にアンカーボルト１０ｅ，１０ｆ（図示せず）を通すことである。その後にワッシャー１１ｅ，１１ｆ（図示せず）を通してナット１２ｅ，１２ｆ（図示せず）を螺合し強固に締め付ける。これによりアンカーボルト１０ｅ，１０ｆ（図示せず）によって壁面取付用梯子１と壁面とが固定されると共に壁面取付用梯子１と補助梯子３とが連結される。
【００３７】
次に図５を参照して、新しい同一構造の壁面取付用梯子１と取り替えるときについて説明する。壁面取付用梯子１を壁面から取り外す方法は、第１の実施の形態で説明したこととほぼ同様である。異なるところは、以前から使用していた壁面取付用梯子１を取り外した後、新しい壁面取付用梯子１を配置する前に以前から使用していたアンカーボルト１０ａ〜１０ｆ（一部図示せず）の突出部分を切断する。そのようにしないと少なくともアンカーボルト１０ｅ，１０ｆ（図示せず）の突出部が、位置が変わった連結板１６ａ，１６ｂに当たるからである。
【００３８】
第１の実施の形態と同様にして固定板７ａ，７ｂが１対になった側柱６ａ，６ｂ間の内側を向くように側柱６ａ，６ｂを配置する。このように配置すると連結板１６ａ，１６ｂが外側を向くことになり且つ固定板７ａ，７ｂが外側を向いた状態の１対の側柱６ａ，６ｂの長孔９ｅ，９ｆ間と同じ幅でネジ穴１７ａ（図示せず），１７ｂが配置されることになる。この状態にある壁面取付用梯子１を壁面に取付ける。
【００３９】
更に、壁面に壁面取付用梯子１を取付けた後、連結板１６ａ，１６ｂのネジ孔１７ａ（図示せず），１７ｂの上に補助梯子の長孔２５ａ，２５ｂを合わせ、ワッシャー２６ａ，２６ｂ（図示せず）を通したネジ２４ａ，２４ｂ（図示せず）を螺合し強固に固定する。これによって側柱６ａ，６ｂの左右を入れ替えた場合であっても必ず補助梯子３の取付位置である長孔２５ａ，２５ｂに固定板固定板７ａ，７ｂの長孔９ｅ（図示せず），９ｆか又はネジ孔１７ａ，１７ｂが位置することになる。従って、新たに幅の異なる補助梯子を用意する必要がない。
【図面の簡単な説明】
【図１】  この発明の第１の実施の形態による壁面取付用梯子の全体斜視図である。
【図２】図１に示した壁面取付用梯子のステップ部材の一部を分解した状態の斜視図である。
【図３】図１に対応した図であって壁面取付用梯子の側柱の左右を入れ替えた斜視図である。
【図４】この発明の第２の実施の形態による壁面取付用梯子に補助梯子を連結したところの斜視図である。
【図５】図４に対応した図であって側柱の左右を入れ替えた斜視図である。
【図６】補助梯子が連結された従来の壁面取付用梯子の全体斜視図である。
【図７】図６で示したＶＩＩ−ＶＩＩラインの拡大断面図である。
【符号の説明】
６…側柱
７…固定板
８…立脚板
９…長孔
１０…アンカーボルト
１４…ステップ部材
１６…連結板
１７…ネジ孔
１８…アンカーボルト
尚、各図中同一符号は同一又は相当部分を示す。
【図１】
0003911199.tif 000002
【図２】
0003911199.tif 000003
【図３】
0003911199.tif 000004
【図４】
0003911199.tif 000005
【図５】
0003911199.tif 000006
【図６】
0003911199.tif 000007
【図７】
0003911199.tif 000008